(57)【要約】      （修正有）【課題】歯を磨くときの汚れ、水及び歯磨きを含む水の排出がよく、洗浄の効果を向上し、しかも汚れの残留を低減させ、換気効果を高めて乾燥を早めることができ、細菌の繁殖とブラシの底部のカビの成長を避けることができる透かし彫り型歯ブラシヘッドを提供する。【解決手段】透かし彫り型歯ブラシヘッドは、歯ブラシ柄１とブラシ毛２を含み、歯ブラシ柄１の頂端部には少なくとも一つの透かし彫り領域３が設けられ、ブラシ毛２が透かし彫り領域３の周辺位置で均一に取り付けられ、透かし彫り領域３は隔離バーにより幾つかの単体透かし彫りに形成される。歯を磨く時により弾性があり、歯を磨くことをより快適にし、プラスチック材料の割合や使用量を低減し、材料を節約することができ、プラスチック材料の環境に対する汚染を減少し、より環境に優しくなる。【選択図】図１
0003234987.tif 000002
【実用新案登録請求の範囲】
【請求項１】
歯ブラシ柄とブラシ毛を含み、前記歯ブラシ柄の頂端部には少なくとも一つの透かし彫り領域が設けられ、前記ブラシ毛が透かし彫り領域の周辺位置で均一に取り付けられ、前記透かし彫り領域は隔離バーにより幾つかの単体透かし彫りに形成されることを特徴とする、透かし彫り型歯ブラシヘッド。
【請求項２】
前記ブラシ毛の頂端が内側に凹んだ円弧面を呈することを特徴とする、請求項１に記載の透かし彫り型歯ブラシヘッド。
【請求項３】
前記歯ブラシ柄の底部に、電動歯ブラシが差し込むための差し込みソケットが設けられ、前記差し込みソケットの口にスペーシングバヨネットソケットが設けられることを特徴とする、請求項２に記載の透かし彫り型歯ブラシヘッド。
【請求項４】
前記差し込みソケットの口には、内側に傾く環状ガイド斜面が設けられることを特徴とする、請求項３に記載の透かし彫り型歯ブラシヘッド。
【考案の詳細な説明】
【技術分野】
【０００１】
本実用新案は、歯ブラシ部品、特に透かし彫り型歯ブラシヘッドに関するものである。
【背景技術】
【０００２】
生活レベルの向上と伴って、人々は歯の健康にますます注目するようになっている。日常生活では、歯に対する日常のケアは、通常、歯ブラシヘッドで歯の表面を磨いて洗うことで、歯を洗浄する目的が達成される。
【０００３】
現在、従来の歯ブラシヘッドは主幹とブラシ毛で構成され、ブラシ毛がつけられたところは一つの平面であり、日常に歯を洗浄する時、水や歯磨きを含む水はその両側に排出され、排出の効果が不良であり；また、従来の歯ブラシヘッドには水や汚れが残りやすく、しかも自然乾燥に不利であり、細菌が殖しやすく、更に人体に害を及ぼす可能性がある。
【考案の概要】
【０００４】
上記従来技術の問題に対して、本実用新案の目的は、透かし彫り型歯ブラシヘッドを提供することである。
【０００５】
上記目的を実現するために、本実用新案は、下記の技術案を採用する：
歯ブラシ柄とブラシ毛を含み、前記歯ブラシ柄の頂端部には少なくとも一つの透かし彫り領域が設けられ、前記ブラシ毛が透かし彫り領域の周辺位置で均一に取り付けられ、前記透かし彫り領域は隔離バーにより幾つかの単体透かし彫りに形成される、透かし彫り型歯ブラシヘッド。
【０００６】
好ましくは、前記ブラシ毛の頂端が内側に凹んだ円弧面を呈する。
【０００７】
好ましくは、前記歯ブラシ柄の底部に、電動歯ブラシが差し込むための差し込みソケットが設けられ、前記差し込みソケットの口にスペーシングバヨネットソケットが設けられる。
【０００８】
好ましくは、前記差し込みソケットの口には、内側に傾く環状ガイド斜面が設けられる。
【０００９】
上記技術案を採用するため、本実用新案は透かし彫り領域を設けることで、下記の利点が得られる：
1.  ブラシ毛に透かし彫り領域を設けることで、歯を磨くときの汚れ、水及び歯磨きを含む水の排出が有利になり、洗浄の効果を向上し、しかも汚れの残留を低減させる；
2.  透かし彫り領域はブラシ毛で気体流路を形成し、気体を流通させ、歯ブラシを放置するときに、換気効果を高めて乾燥を早めることができ、細菌の繁殖とブラシの底部のカビの成長を避けることができる；
3.  透かし彫り領域を形成することで、ここの弾性を増やし、従来の歯ブラシヘッドと比べて、歯を磨く時により弾性があり、歯を磨くことをより快適にする。
4.  透かし彫り領域のある設計により、プラスチック材料の割合や使用量を低減し、材料を節約することができ、プラスチック材料が環境に対する汚染を減少し、より環境に優しくなる。
【図面の簡単な説明】
【００１０】
【図１】本実用新案の実施例の構造原理の模式図である。
【図２】本実用新案の実施例の透かし彫り領域の構造の模式図である。
【図３】本実用新案の実施例の差し込みソケットの構造の模式図である。
【考案を実施するための形態】
【００１１】
以下、図面を参照して本実用新案の実施例を詳しく説明するが、本実用新案は請求の範囲に限定及び包括された多種の異なった形態で実施される。
【００１２】
図１〜図３に示すように、本実用新案が提供する透かし彫り型歯ブラシヘッドは、歯ブラシ柄１と、ブラシ毛２とを含み、前記歯ブラシ柄１の頂端部に少なくとも一つの透かし彫り領域３が設けられ、前記ブラシ毛２が透かし彫り領域３の周辺位置に均一に取り付けられ、前記透かし彫り領域３が隔離バーにより幾つかの単体透かし彫り５に形成される。
【００１３】
本実施例はブラシ毛２に対応する透かし彫り領域を設けることで、下記の作用を有するものにする：
（１）ブラシ毛に透かし彫り領域３を設けることで、歯を磨くときの汚れ、水及び歯磨きを含む水の排出が有利になり、洗浄の効果を向上し、しかも汚れの残留を低減させる；
（２）透かし彫り領域３はブラシ毛で気体流路を形成し、気体を流通させ、歯ブラシを放置するときに、換気効果を高めて乾燥を早めることができ、細菌の繁殖とブラシの底部のカビの成長を避けることができる；
（３）透かし彫り領域３を形成することで、ここの弾性を増やし、従来の歯ブラシヘッドと比べて、歯を磨く時により弾性があり、歯を磨くことをより快適にする。
（４）透かし彫り領域３のある設計により、プラスチック材料の割合や使用量を低減し、材料を節約することができ、プラスチック材料が環境に対する汚染を減少し、より環境に優しくなる。
【００１４】
更に、歯の形に合わせて洗浄するために、本実施例の前記ブラシ毛２の頂端は内側に凹んだ円弧面を呈し、内側に凹んだ円弧面と歯の配列曲面が対応する形を形成することで、洗浄効果を向上するものである。
【００１５】
更に、本実施例の歯ブラシヘッドが電動歯ブラシに適用するときに、歯ブラシ柄１の底部に、電動歯ブラシが差し込むための差し込みソケット６が設けられ、そして前記差し込みソケット６の口にスペーシングバヨネットソケット７が設けられる必要があり、これにより電動歯ブラシに取り付けられる。
【００１６】
更に、電動歯ブラシに便利に取り付けられるために、本実施例の前記差し込みソケット６の口には、内側に傾く環状ガイド斜面８が設けられ、取り付けられる時に、環状ガイド斜面８がガイドの役割を果たすものである。
【００１７】
以上は本実用新案の好ましい実施例に過ぎなく、本実用新案の請求の範囲を制限するものではなく、本実用新案の明細書及び図面を利用して行われた同等の構造、または同等のプロセス変換、または直接もしくは間接的な他の関連技術分野の使用は、いずれも同様に本実用新案の特許請求の範囲にある。
【図１】
0003234987.tif 000003
【図２】
0003234987.tif 000004
【図３】
0003234987.tif 000005